(57)【要約】      （修正有）【課題】良好な光学性能を有する撮影レンズ、この撮影レンズを有する光学機器、及び、この撮影レンズの製造方法を提供する。【解決手段】カメラ１等の光学機器に搭載される撮影レンズＳＬは、物体側より順に、正の屈折力を有する第１レンズ群Ｇ１と、正の屈折力を有する第２レンズ群Ｇ２の実質的に２個のレンズ群からなり、最も像側に両凹レンズＬ２２を有し、次式の条件を満足する。０．３０＜ｙＧ２／ｙＧ１＜０．８０。ｙＧ１：無限遠から撮影倍率−０．０１倍に合焦するときの第１レンズ群Ｇ１の光軸上の移動量を表し、物体側へ移動するときを負の値とする。ｙＧ２：無限遠から撮影倍率−０．０１倍に合焦するときの第２レンズ群Ｇ２の光軸上の移動量を表し、物体側へ移動するときを負の値とする。【選択図】図１
2014081429.tif 000002
【特許請求の範囲】
【請求項１】
物体側より順に、
正の屈折力を有する第１レンズ群と、
正の屈折力を有する第２レンズ群との実質的に２個のレンズ群からなり、
最も像側に両凹レンズを有し、
次式の条件を満足することを特徴とする撮影レンズ。
０．３０  ＜  ｙＧ２／ｙＧ１  ＜  ０．８０
但し、
ｙＧ１：無限遠から撮影倍率−０．０１倍に合焦するときの前記第１レンズ群の光軸上の移動量を表し、物体側へ移動するときを負の値とする
ｙＧ２：無限遠から撮影倍率−０．０１倍に合焦するときの前記第２レンズ群の光軸上の移動量を表し、物体側へ移動するときを負の値とする
【請求項２】
前記第１レンズ群は、物体側より順に、物体側に凸面を向けた正メニスカス形状の第１レンズ、物体側に凸面を向けた正メニスカス形状の第２レンズ及び物体側に凸面を向けた正メニスカス形状の第３レンズを有することを特徴とする請求項１に記載の撮影レンズ。
【請求項３】
次式の条件を満足することを特徴とする請求項２に記載の撮影レンズ。
（ν１＋ν２）／２  ＞  ５５
但し、
ν１：前記第１レンズ群の前記第１レンズの媒質のｄ線に対するアッベ数
ν２：前記第１レンズ群の前記第２レンズの媒質のｄ線に対するアッベ数
【請求項４】
前記第２レンズ群は、物体側より順に、正レンズ及び前記負レンズを貼り合わせた接合レンズを有することを特徴とする請求項１〜３のいずれか一項に記載の撮影レンズ。
【請求項５】
次式の条件を満足することを特徴とする請求項４に記載の撮影レンズ。
１．７０  ＜  （ｎ２１＋ｎ２２）／２  ＜  １．９５
但し、
ｎ２１：前記第２レンズ群の前記正レンズの媒質のｄ線に対する屈折率
ｎ２２：前記第２レンズ群の前記負レンズの媒質のｄ線に対する屈折率
【請求項６】
前記第１レンズ群は、負レンズと正レンズとを貼り合わせた接合レンズを有することを特徴とする請求項１〜５のいずれか一項に記載の撮影レンズ。
【請求項７】
次式の条件を満足することを特徴とする請求項６に記載の撮影レンズ。
−０．５０  ＜  ｒ１／ｆ  ＜  −０．２０
但し、
ｒ１：前記第１レンズ群内の前記接合レンズの最も物体側の面の曲率半径
ｆ：無限遠合焦時の全系の焦点距離
【請求項８】
前記第１レンズ群内に開口絞りを有することを特徴とする請求項１〜７のいずれか一項に記載の撮影レンズ。
【請求項９】
請求項１〜８のいずれか一項に記載の撮影レンズを有することを特徴とする光学機器。
【請求項１０】
物体側より順に、正の屈折力を有する第１レンズ群と、正の屈折力を有する第２レンズ群との実質的に２個のレンズ群からなる撮影レンズの製造方法であって、
最も像側に両凹レンズ配置し、
次式の条件を満足するように配置することを特徴とする撮影レンズの製造方法。
０．３０  ＜  ｙＧ２／ｙＧ１  ＜  ０．８０
但し、
ｙＧ１：無限遠から撮影倍率−０．０１倍に合焦するときの前記第１レンズ群の光軸上の移動量を表し、物体側へ移動するときを負の値とする
ｙＧ２：無限遠から撮影倍率−０．０１倍に合焦するときの前記第２レンズ群の光軸上の移動量を表し、物体側へ移動するときを負の値とする
【発明の詳細な説明】
【技術分野】
【０００１】
本発明は、撮影レンズ、この撮影レンズを有する光学機器、及び、撮影レンズの製造方法に関する。
【背景技術】
【０００２】
従来、写真用カメラやビデオカメラ等で、Ｆナンバーが比較的明るく、光学性能が容易に得られるレンズタイプとして、いわゆるガウス型レンズがあり、現在も多く用いられている（例えば、特許文献1参照）。
【先行技術文献】
【特許文献】
【０００３】
【特許文献１】特開２０１０−０７２３５９号公報
【発明の概要】
【発明が解決しようとする課題】
【０００４】
しかしながら、従来のレンズは十分に高い光学性能を有しているとは言えなかった。
【０００５】
本発明はこのような課題に鑑みてなされたものであり、良好な光学性能を有する撮影レンズ、この撮影レンズを有する光学機器、及び、この撮影レンズの製造方法を提供することを目的とする。
【課題を解決するための手段】
【０００６】
前記課題を解決するために、本発明に係る撮影レンズは、物体側より順に、正の屈折力を有する第１レンズ群と、正の屈折力を有する第２レンズ群との実質的に２個のレンズ群からなり、最も像側に両凹レンズを有し、次式の条件を満足することを特徴とする。
０．３０  ＜  ｙＧ２／ｙＧ１  ＜  ０．８０
但し、
ｙＧ１：無限遠から撮影倍率−０．０１倍に合焦するときの第１レンズ群の光軸上の移動量を表し、物体側へ移動するときを負の値とする
ｙＧ２：無限遠から撮影倍率−０．０１倍に合焦するときの第２レンズ群の光軸上の移動量を表し、物体側へ移動するときを負の値とする
【０００７】
また、このような撮影レンズにおいて、第１レンズ群は、物体側より順に、物体側に凸面を向けた正メニスカス形状の第１レンズ、物体側に凸面を向けた正メニスカス形状の第２レンズ及び物体側に凸面を向けた正メニスカス形状の第３レンズを有することが好ましい。
【０００８】
また、このような撮影レンズは、次式の条件を満足することが好ましい。
（ν１＋ν２）／２  ＞  ５５
但し、
ν１：第１レンズ群の第１レンズの媒質のｄ線に対するアッベ数
ν２：第１レンズ群の第２レンズの媒質のｄ線に対するアッベ数
【０００９】
また、このような撮影レンズにおいて、第２レンズ群は、物体側より順に、正レンズ及び負レンズを貼り合わせた接合レンズを有することが好ましい。
【００１０】
また、このような撮影レンズは、次式の条件を満足することが好ましい。
１．７０  ＜  （ｎ２１＋ｎ２２）／２  ＜  １．９５
但し、
ｎ２１：第２レンズ群の正レンズの媒質のｄ線に対する屈折率
ｎ２２：第２レンズ群の負レンズの媒質のｄ線に対する屈折率
【００１１】
また、このような撮影レンズにおいて、第１レンズ群は、負レンズと正レンズとを貼り合わせた接合レンズを有することが好ましい。
【００１２】
また、このような撮影レンズは、次式の条件を満足することが好ましい。
−０．５０  ＜  ｒ１／ｆ  ＜  −０．２０
但し、
ｒ１：第１レンズ群内の接合レンズの最も物体側の面の曲率半径
ｆ：無限遠合焦時の全系の焦点距離
【００１３】
また、このような撮影レンズは、第１レンズ群内に開口絞りを有することが好ましい。
【００１４】
また、本発明に係る光学機器は、上述の撮影レンズのいずれかを有することを特徴とする。
【００１５】
また、本発明に係る撮影レンズの製造方法は、物体側より順に、正の屈折力を有する第１レンズ群と、正の屈折力を有する第２レンズ群との実質的に２個のレンズ群からなる撮影レンズの製造方法であって、最も像側に両凹レンズ配置し、次式の条件を満足するように配置することを特徴とする。
０．３０  ＜  ｙＧ２／ｙＧ１  ＜  ０．８０
但し、
ｙＧ１：無限遠から撮影倍率−０．０１倍に合焦するときの第１レンズ群の光軸上の移動量を表し、物体側へ移動するときを負の値とする
ｙＧ２：無限遠から撮影倍率−０．０１倍に合焦するときの第２レンズ群の光軸上の移動量を表し、物体側へ移動するときを負の値とする
【発明の効果】
【００１６】
本発明によれば、良好な光学性能を有する撮影レンズ、この撮影レンズを有する光学機器、及び撮影レンズの製造方法を提供することができる。
【図面の簡単な説明】
【００１７】
【図１】第１実施例に係る撮影レンズのレンズ構成を示す断面図である。
【図２】第１実施例に係る撮影レンズの諸収差図であって、（ａ）は無限遠合焦状態を示し、（ｂ）は中間撮影距離合焦状態（撮影倍率−０．０１倍）を示す。
【図３】第２実施例に係る撮影レンズのレンズ構成を示す断面図である。
【図４】第２実施例に係る撮影レンズの諸収差図であって、（ａ）は無限遠合焦状態を示し、（ｂ）は中間撮影距離合焦状態（撮影倍率−０．０１倍）を示す。
【図５】第３実施例に係る撮影レンズのレンズ構成を示す断面図である。
【図６】第３実施例に係る撮影レンズの諸収差図であって、（ａ）は無限遠合焦状態を示し、（ｂ）は中間撮影距離合焦状態（撮影倍率−０．０１倍）を示す。
【図７】第４実施例に係る撮影レンズのレンズ構成を示す断面図である。
【図８】第４実施例に係る撮影レンズの諸収差図であって、（ａ）は無限遠合焦状態を示し、（ｂ）は中間撮影距離合焦状態（撮影倍率−０．０１倍）を示す。
【図９】上記撮影レンズを搭載するカメラの断面図である。
【図１０】上記撮影レンズの製造方法を説明するためのフローチャートである。
【発明を実施するための形態】
【００１８】
以下、本発明の好ましい実施形態について図面を参照して説明する。図１に示すように、本実施形態に係る撮影レンズＳＬは、光軸に沿って、物体側から順に、正の屈折力を有する第１レンズ群Ｇ１と、正の屈折力を有する第２レンズ群Ｇ２と、を有して構成されている。また、この撮影レンズＳＬは、最も像側に両凹レンズＬ２２を有することが望ましい。このような構成とすることにより、この撮影レンズＳＬは、有効径が２５ｍｍから３０ｍｍ程度の大口径レンズとすることができ、鏡筒の小型化と諸収差を良好に補正することができる。また、この撮影レンズＳＬは、いわゆるガウスタイプのレンズを変形したものである。ガウスタイプでは、開口絞りＳの前後にてレンズが略対称の形状をしているため、その対称性により、歪曲収差などの補正が容易となる。
【００１９】
それでは、このような撮影レンズＳＬを構成するための条件について説明する。まず、この撮影レンズＳＬは、以下に示す条件式（１）を満足することが望ましい。
【００２０】
０．３０  ＜  ｙＧ２／ｙＧ１  ＜  ０．８０                  （１）
但し、
ｙＧ１：無限遠から撮影倍率−０．０１倍に合焦するときの第１レンズ群Ｇ１の
光軸上の移動量を表し、物体側へ移動するときを負の値とする
ｙＧ２：無限遠から撮影倍率−０．０１倍に合焦するときの第２レンズ群Ｇ２の
光軸上の移動量を表し、物体側へ移動するときを負の値とする
【００２１】
条件式（１）は、第１レンズ群Ｇ１及び第２レンズ群Ｇ２の中間撮影距離（撮影倍率−０．０１倍）時の合焦における移動比率の適切な範囲を規定するための条件式である。この条件式（１）の下限値を下回ると、第２レンズ群Ｇ２単体で発生する倍率色収差が悪化してしまうため好ましくない。なお、本願の効果を確実にするために、条件式（１）の下限値を０．３５にすることが好ましい。また、条件式（１）の上限値を上回ると、コマ収差及び像面湾曲が補正過剰になってしまうため好ましくない。なお、本願の効果を確実にするために、条件式（１）の上限値を０．６０にすることが好ましい。
【００２２】
また、この撮影レンズＳＬは、第１レンズ群Ｇ１が、物体側より順に、物体側に凸面を向けた正メニスカスレンズ（第１レンズ）Ｌ１１、物体側に凸面を向けた正メニスカスレンズ（第２レンズ）Ｌ１２、及び、物体側に凸面を向けた正メニスカスレンズ（第３レンズ）Ｌ１３を有することが望ましい。このような構成とすることにより、無限遠から近距離までの撮影領域において、球面収差と像面湾曲を良好に補正することができる。
【００２３】
また、この撮影レンズＳＬは、以下に示す条件式（２）を満足することが望ましい。
【００２４】
（ν１＋ν２）／２  ＞  ５５                                （２）
但し、
ν１：第１レンズ群Ｇ１の第１レンズＬ１１の媒質のｄ線に対するアッベ数
ν２：第１レンズ群Ｇ１の第２レンズＬ１２の媒質のｄ線に対するアッベ数
【００２５】
条件式（２）は、第１レンズ群Ｇ１の正の屈折力を有するレンズ成分（第１レンズ）Ｌ１１及び正の屈折力を有するレンズ成分（第２レンズ）Ｌ１２の分散を規定するための条件式である。条件式（２）を満足することによって、色収差を良好に補正することができる。特に、コマ収差を良好に補正できる。なお本願の効果を確実にするために、条件式（２）の下限値を６０にすることが好ましい。
【００２６】
また、この撮影レンズＳＬは、第２レンズ群Ｇ２が、物体側より順に正レンズ（例えば、図１における両凸レンズＬ２１）と上述の両凹レンズ（負レンズ）Ｌ２２とを貼り合わせた接合レンズＣＬ２を有することが望ましい。このような構成とすることにより、像側に配置されたレンズに色消し効果を持たせ、全体として色収差が補正できる。特にこの構成により、合焦時の色収差の変動を少なくすることができる。またこのように、正レンズＬ２１と負レンズＬ２２とを接合レンズＣＬ２とすることにより、光線の全反射を防ぎ、当該レンズにおいて光線を良好に通すことができる。
【００２７】
また、この撮影レンズＳＬは、以下に示す条件式（３）を満足することが望ましい。
【００２８】
１．７０  ＜  （ｎ２１＋ｎ２２）／２  ＜  １．９５          （３）
但し、
ｎ２１：第２レンズ群Ｇ２の正レンズＬ２１の媒質のｄ線に対する屈折率
ｎ２２：第２レンズ群Ｇ２の負レンズＬ２２の媒質のｄ線に対する屈折率
【００２９】
条件式（３）は、第２レンズ群Ｇ２の正レンズＬ２１と負レンズＬ２２の屈折率を規定するための条件式である。条件式（３）を満足することによって、ペッツバール和の増大を防ぐことができる。なお、本願の効果を確実にするために、条件式（１）の下限値を１．７５にすることが好ましい。また、本願の効果を確実にするために、条件式（３）の上限値を１．８５にすることが好ましい。
【００３０】
また、この撮影レンズＳＬは、第１レンズ群Ｇ１に負レンズ（例えば図１における両凹レンズＬ１５）と正レンズ（例えば図１における両凸レンズＬ１６）とを貼り合わせた接合レンズＣＬ１を有することが望ましい。このような構成により、像側に配置した接合レンズＣＬ２と同様に色消し効果があり、全体として色収差が補正できる。
【００３１】
また、この撮影レンズＳＬは、以下に示す条件式（４）を満足することが望ましい。
【００３２】
−０．５０  ＜  ｒ１／ｆ  ＜  −０．２０                    （４）
但し、
ｒ１：第１レンズ群Ｇ１内の接合レンズＣＬ１の最も物体側の面の曲率半径
ｆ：無限遠合焦時の全系の焦点距離
【００３３】
条件式（４）は、無限遠合焦時のこの撮影レンズＳＬの全系の焦点距離ｆに対する第１レンズ群Ｇ１内の接合レンズＣＬ１の負レンズ（図１における両凹レンズＬ１５）の物体側の面（図１における第１０面）の曲率半径の比を規定するための条件式である。ここで、曲率半径は、物体側に凸の面を正とし、像側に凸の面を負とする。この条件式（４）を満足することによって、像面湾曲の増大を防ぐことができる。なお、本願の効果を確実にするために、条件式（４）の下限値を−０．４５にすることが好ましい。また、本願の効果を確実にするために、条件式（４）の上限値を−０．２５にすることが好ましい。
【００３４】
また、この撮影レンズＳＬは、第１レンズ群Ｇ１内に開口絞りＳを有することが望ましい。このような構成により、コマ収差を良好に補正することができる。
【００３５】
次に、本実施形態に係る撮影レンズＳＬを備えた光学装置であるカメラを図９に基づいて説明する。このカメラ１は、撮影レンズ２として本実施形態に係る撮影レンズＳＬを備えたレンズ交換式の所謂ミラーレスカメラである。本カメラ１において、不図示の物体（被写体）からの光は、撮影レンズ２で集光されて、不図示のＯＬＰＦ（Optical low pass filter：光学ローパスフィルタ）を介して撮像部３の撮像面上に被写体像を形成する。そして、撮像部３に設けられた光電変換素子により被写体像が光電変換されて被写体の画像が生成される。この画像は、カメラ１に設けられたＥＶＦ（Electronic view finder：電子ビューファインダ）４に表示される。これにより撮影者は、ＥＶＦ４を介して被写体を観察することができる。
【００３６】
また、撮影者によって不図示のレリーズボタンが押されると、撮像部３により光電変換された画像が不図示のメモリに記憶される。このようにして、撮影者は本カメラ１による被写体の撮影を行うことができる。なお、本実施形態では、ミラーレスカメラの例を説明したが、カメラ本体にクイックリターンミラーを有しファインダー光学系により被写体を観察する一眼レフタイプのカメラに本実施形態に係る撮影レンズＳＬを搭載した場合でも、上記カメラ１と同様の効果を奏することができる。
【００３７】
なお、以下に記載の内容は、光学性能を損なわない範囲で適宜採用可能である。
【００３８】
本実施形態では、２群構成の撮影レンズＳＬを示したが、以上の構成条件等は、３群等の他の群構成にも適用可能である。また、最も物体側にレンズまたはレンズ群を追加した構成や、最も像側にレンズまたはレンズ群を追加した構成でも構わない。また、レンズ群とは、合焦時に変化する空気間隔で分離された、少なくとも１枚のレンズを有する部分を示す。
【００３９】
また、単独または複数のレンズ群、または部分レンズ群を光軸方向に移動させて、無限遠物体から近距離物体への合焦を行う合焦レンズ群としても良い。この場合、前記合焦レンズ群はオートフォーカスにも適用でき、オートフォーカス用の（超音波モーター等の）モーター駆動にも適している。
【００４０】
また、レンズ群または部分レンズ群を光軸に垂直な方向の成分を持つように移動させ、または、光軸を含む面内方向に回転移動（揺動）させて、手ぶれによって生じる像ぶれを補正する防振レンズ群としてもよい。特に、第１レンズ群Ｇ１の最も像側のレンズ（例えば、図１におけるＬ１７）を防振レンズ群とするのが好ましい。
【００４１】
また、レンズ面は、球面または平面で形成されても、非球面で形成されても構わない。レンズ面が球面または平面の場合、前述したように、レンズ加工及び組立調整が容易になり、加工及び組立調整の誤差による光学性能の劣化を妨げるので好ましい。また、像面がずれた場合でも描写性能の劣化が少ないので好ましい。レンズ面が非球面の場合、非球面は、研削加工による非球面、ガラスを型で非球面形状に形成したガラスモールド非球面、ガラスの表面に樹脂を非球面形状に形成した複合型非球面のいずれの非球面でも構わない。また、レンズ面は回折面としても良く、レンズを屈折率分布型レンズ（ＧＲＩＮレンズ）或いはプラスチックレンズとしても良い。
【００４２】
開口絞りＳは、前述のように、第１レンズ群Ｇ１中に配置されるのが好ましいが、開口絞りとしての部材を設けずに、レンズの枠でその役割を代用しても良い。
【００４３】
さらに、各レンズ面には、フレアやゴーストを軽減し高コントラストの高い光学性能を達成するために、広い波長域で高い透過率を有する反射防止膜を施しても良い。
【００４４】
また、本実施形態に係る撮影レンズＳＬは、３５ｍｍフィルムサイズ換算での焦点距離が、６０ｍｍから１５０ｍｍ程度、好ましくは８０ｍｍから９０ｍｍ程度である。また、本実施形態に係る撮影レンズＳＬは、３５ｍｍフィルムサイズ換算でのローパスフィルタ等のフィルター群ＦＬを含まない最も像側に配置されるレンズの像面側から像面Ｉまでの光軸上の距離（バックフォーカス）が８ｍｍから３０ｍｍ程度、好ましくは１０ｍｍから２０ｍｍ程度とするのが望ましい。
【００４５】
以下、本実施形態に係る撮影レンズＳＬの製造方法の概略を、図１０を参照して説明する。まず、各レンズを配置してレンズ群Ｇ１〜Ｇ２をそれぞれ準備する（ステップＳ１００）。また、最も像側に両凹レンズＬ２２を配置する（ステップＳ２００）。さらにまた、各レンズ群Ｇ１〜Ｇ２が、前述の条件式（１）を満足するように配置する(ステップＳ３００)。
【００４６】
具体的には、本実施形態では、例えば図１に示すように、物体側から順に、物体側に凸面を向けた正メニスカスレンズＬ１１、物体側に凸面を向けた正メニスカスレンズＬ１２、物体側に凸面を向けた正メニスカスレンズＬ１３、物体側に凸面を向けた負メニスカスレンズＬ１４、両凹レンズＬ１５と両凸レンズＬ１６とを接合した接合レンズＣＬ１、及び、物体側に凹面を向けた正メニスカスレンズＬ１７を配置して第１レンズ群Ｇ１とし、物体側から順に両凸レンズＬ２１と両凹レンズＬ２２とを接合した接合レンズＣＬ２を配置して第２レンズ群Ｇ２とする。このように準備した各レンズ群を上述の手順で配置して撮影レンズＳＬを製造する。
【実施例】
【００４７】
以下、本願の各実施例を、図面に基づいて説明する。なお、図１、図３、図５及び図７は、各実施例に係る撮影レンズＳＬ（ＳＬ１〜ＳＬ４）の構成及び屈折力配分を示す断面図である。また、これらの撮影レンズＳＬ１〜ＳＬ４の断面図の下部には、無限遠（∞）から近距離物体（至近）に合焦する際の各レンズ群Ｇ１〜Ｇ２の光軸に沿った移動方向が矢印で示されている。また、図１、図３、図５及び図７に示すように、第１〜第４実施例に係る撮影レンズＳＬ１〜ＳＬ４は、物体側から順に、正の屈折力を有する第１レンズ群Ｇ１と、正の屈折力を有する第２レンズ群Ｇ２と、から構成されている。そして、無限遠から近距離物体への合焦は、第１レンズ群Ｇ１及び第２レンズ群Ｇ２を別々に物体側に繰出すことにより行われる。すなわち、第１レンズ群Ｇ１と第２レンズ群Ｇ２との空気間隔が増大し、バックフォーカスが増大するように、第１及び第２レンズ群Ｇ１，Ｇ２が光軸に沿って物体側に移動する。また、開口絞りＳは第１レンズ群Ｇ１中に配置され、合焦に際し、この第１レンズ群Ｇ１とともに移動する。
【００４８】
〔第１実施例〕
図１は、第１実施例に係る撮影レンズＳＬ１の構成を示す図である。この図１に示す撮影レンズＳＬ１において、第１レンズ群Ｇ１は、物体側から順に、物体側に凸面を向けた正メニスカスレンズ（第１レンズ）Ｌ１１、物体側に凸面を向けた正メニスカスレンズ（第２レンズ）Ｌ１２、物体側に凸面を向けた正メニスカスレンズ（第３レンズ）Ｌ１３、物体側に凸面を向けた負メニスカスレンズＬ１４、両凹レンズＬ１５と両凸レンズＬ１６とを接合した接合レンズＣＬ１、及び、物体側に凹面を向けた正メニスカスレンズＬ１７から構成されている。また、第２レンズ群Ｇ２は、物体側から順に両凸レンズ（正レンズ）Ｌ２１と両凹レンズ（負レンズ）Ｌ２２とを接合した接合レンズＣＬ２から構成されている。また、開口絞りＳは、第１レンズ群Ｇ１の負メニスカスレンズＬ１４と両凹レンズＬ１５との間に配置されている。なお、この撮影レンズＳＬ１と像面Ｉとの間には、ローパスフィルターや赤外カットフィルター等から構成されるフィルター群ＦＬが配置されている。像面Ｉは、撮像素子（例えば、フィルム、ＣＣＤ、ＣＭＯＳ等）に結像される。
【００４９】
以下の表１に第１実施例の諸元の値を掲げる。この表１において、全体諸元に示すｆは焦点距離、ＦＮｏはＦナンバー、２ωは画角［°］、Ｙは像高、ＴＬは全長をそれぞれ表している。なお、これらの値は無限遠合焦時のものである。また、全長ＴＬは、撮影レンズＳＬ１の最も物体側のレンズ面（第１面）から像面Ｉまでの光軸上の距離である。さらに、レンズデータに示す面番号は光線の進行する方向に沿った物体側からのレンズ面の順序を、面間隔は各光学面から次の光学面までの光軸上の間隔を、屈折率及びアッベ数はそれぞれｄ線（λ＝５８７．６nm）に対する値を示している。なお、表１に示す面番号１〜２３は図１に示す番号１〜２３に対応している。また、レンズ群焦点距離は第１〜第２レンズ群Ｇ１〜Ｇ２の各々の始面と焦点距離を示している。ここで、以下の全ての諸元表において掲載されている焦点距離、曲率半径、面間隔、その他長さの単位は一般に「ｍｍ」が使われるが、光学系は、比例拡大又は比例縮小しても同等の光学性能が得られるので、これに限られるものではない。なお、曲率半径の「0.0000」は平面又は開口を示している。また、空気の屈折率「1.00000」の記載は省略している。またこれらの符号の説明及び諸元表の説明は以降の実施例においても同様である。
【００５０】
（表１）
［全体諸元］
ｆ    ＝  32.4
ＦＮｏ＝   1.24
２ω  ＝  26.19
像高  ＝   8.19
ＴＬ  ＝  52.60
［レンズデータ］
面番号  曲率半径    面間隔       ｎｄ       νd
1      33.0214      4.40      1.6968      55.52
2     637.5014      0.10
3      18.2318      4.00      1.6030      65.44
4      25.6174      0.10
5      20.9000      3.10      1.7950      45.31
6      30.0000      0.90
7      55.2655      1.20      1.7174      29.57
8      10.8367      5.20
9       0.0000      4.70                          開口絞りＳ
10     -12.2930      1.20      1.6727      32.19
11      85.0000      4.00      1.8830      40.66
12     -19.6365      0.30
13     -49.0000      2.10      1.7725      49.62
14     -23.4000     (d14)
15      30.8466      4.10      1.8348      42.73
16     -38.7000      1.20      1.7552      27.57
17      85.2086     (d17)
18       0.0000      0.50      1.5168      63.88
19       0.0000      1.11
20       0.0000      1.59      1.5168      63.88
21       0.0000      0.30
22       0.0000      0.70      1.5168      63.88
23       0.0000      0.70
［レンズ群焦点距離］
レンズ群    始面    焦点距離
第１レンズ群    1       51.86
第２レンズ群   15       47.97
【００５１】
また、上述したように、この第１実施例に係る撮影レンズＳＬ１において、無限遠物体から近距離物体への合焦に際し、第１レンズ群Ｇ１及び第２レンズ群Ｇ２が光軸上を移動するため、第１レンズ群Ｇ１と第２レンズ群Ｇ２との軸上空気間隔ｄ１４、第２レンズ群Ｇ２とフィルター群ＦＬとの軸上空気間隔ｄ１７、及び、バックフォーカスＢｆが変化する。次の表２に、無限遠合焦状態、中間撮影距離合焦状態、及び、近距離合焦状態における可変間隔を示す。なお、この表２において、中間撮影距離は撮影倍率−０．０１倍の撮影距離、近撮影距離は撮影倍率−０．０７倍の撮影距離である。また、バックフォーカスＢｆは第２レンズ群Ｇ２の最も像側のレンズ面（第１７面）から像面Ｉまでの光軸上の距離を表している。この説明は以降の実施例においても同様である。
【００５２】
（表２）
レンズ状態    無限遠  中間距離    近距離
ｄ１４       0.90      1.13      2.67
ｄ１７      10.20     10.43     11.97
Ｂｆ        15.10     15.33     16.87
【００５３】
次の表３に、この第１実施例における各条件式対応値を示す。なおこの表３において、ｙＧ１は無限遠から撮影倍率−０．０１倍に合焦するときの第１レンズ群Ｇ１の光軸上の移動量を表し、物体側へ移動するときを負の値とし、ｙＧ２は無限遠から撮影倍率−０．０１倍に合焦するときの第２レンズ群Ｇ２の光軸上の移動量を表し、物体側へ移動するときを負の値とする。また、ν１は第１レンズ群Ｇ１の第１レンズＬ１１の媒質のｄ線に対するアッベ数を、ν２は第１レンズ群Ｇ１の第２レンズＬ１２の媒質のｄ線に対するアッベ数を、ｎ２１は第２レンズ群Ｇ２の正レンズＬ２１の媒質のｄ線に対する屈折率を、ｎ２２は第２レンズ群Ｇ２の負レンズＬ２２の媒質のｄ線に対する屈折率をそれぞれ表している。これらの符号の説明は以降の実施例においても同様である。
【００５４】
（表３）
ｙＧ１＝‐0.47
ｙＧ２＝‐0.23
ν１＝55.52
ν２＝65.44
ｎ２１＝1.8348
ｎ２２＝1.7552
（１）ｙＧ２／ｙＧ１＝0.50
（２）（ν１＋ν２）／２＝60.48
（３）（ｎ２１＋ｎ２２）／２＝1.795
（４）ｒ１／ｆ＝‐0.38
【００５５】
このように、この第１実施例に係る撮影レンズＳＬ１は、上記条件式（１）〜（４）を全て満足している。
【００５６】
この第１実施例に係る撮影レンズＳＬ１の無限遠合焦状態における諸収差図を図２（ａ）に示し、中間撮影距離状態（撮影距離−０．０１）における諸収差図を図２（ｂ）に示す。各収差図において、ｄはｄ線（波長５８７．６ｎｍ）、ｇはｇ線（波長４３５．８ｎｍ）に対する収差を表す。また、記載のないものはｄ線に対する収差を表す。また、非点収差図中の実線はサジタル像面、破線はメリディオナル像面を示し、ＦＮＯはＦナンバー、ＮＡは開口数、Ｙは像高（単位：ｍｍ）、Ｈ０は物体高（単位：ｍｍ）を示す。また、コマ収差図は、各入射角において、実線はｄ線及びｇ線に対するメリジオナルコマ収差を示す、なお、この収差図の説明は以降の実施例においても同様である。この第１実施例において、各収差図から明らかなように、各合焦状態において諸収差が良好に補正されており、高い光学性能を有していることは明らかである。
【００５７】
〔第２実施例〕
図３は、第２実施例に係る撮影レンズＳＬ２の構成を示す図である。この図３に示す撮影レンズＳＬ２において、第１レンズ群Ｇ１は、物体側から順に、物体側に凸面を向けた正メニスカスレンズ（第１レンズ）Ｌ１１、物体側に凸面を向けた正メニスカスレンズ（第２レンズ）Ｌ１２、物体側に凸面を向けた正メニスカスレンズ（第３レンズ）Ｌ１３、物体側に凸面を向けた負メニスカスレンズＬ１４、両凹レンズＬ１５と両凸レンズＬ１６とを接合した接合レンズＣＬ１、及び、物体側に凹面を向けた正メニスカスレンズＬ１７から構成されている。また、第２レンズ群Ｇ２は、物体側から順に両凸レンズ（正レンズ）Ｌ２１と両凹レンズ（負レンズ）Ｌ２２とを接合した接合レンズＣＬ２から構成されている。また、開口絞りＳは、第１レンズ群Ｇ１の負メニスカスレンズＬ１４と両凹レンズＬ１５との間に配置されている。なお、この撮影レンズＳＬ２と像面Ｉとの間には、ローパスフィルターや赤外カットフィルター等から構成されるフィルター群ＦＬが配置されている。像面Ｉは、撮像素子（例えば、フィルム、ＣＣＤ、ＣＭＯＳ等）に結像される。
【００５８】
以下の表４に第２実施例の諸元の値を掲げる。なお、表４に示す面番号１〜２３は図３に示す番号１〜２３に対応している。
【００５９】
（表４）
［全体諸元］
ｆ    ＝  32.5
ＦＮｏ＝   1.24
２ω  ＝  26.27
像高  ＝   8.10
ＴＬ  ＝  52.80
［レンズデータ］
面番号  曲率半径    面間隔       ｎｄ       νd
1      37.4072      4.00      1.6968      55.52
2     836.3694      0.20
3      17.3000      4.30      1.5932      67.90
4      22.6987      0.20
5      19.2229      2.80      1.8040      46.60
6      28.5771      0.90
7      50.1939      1.30      1.6990      30.13
8      10.6967      5.20
9       0.0000      4.60                          開口絞りＳ
10     -13.9566      1.20      1.6990      30.13
11      36.8866      4.40      1.9027      35.73
12     -20.9635      0.20
13     -69.0000      2.10      1.7725      49.62
14     -31.0000     (d14)
15      29.7061      4.20      1.8830      40.66
16     -45.6954      1.30      1.8052      25.45
17      62.4328     (d17)
18       0.0000      0.50      1.5168      63.88
19       0.0000      1.11
20       0.0000      1.59      1.5168      63.88
21       0.0000      0.30
22       0.0000      0.70      1.5168      63.88
23       0.0000      0.70
［レンズ群焦点距離］
レンズ群    始面    焦点距離
第１レンズ群    1       51.23
第２レンズ群   15       51.11
【００６０】
この第２実施例において、第１レンズ群Ｇ１と第２レンズ群Ｇ２との軸上空気間隔ｄ１４、第２レンズ群Ｇ２とフィルター群ＦＬとの軸上空気間隔ｄ１７、及び、バックフォーカスＢｆは、合焦に際して変化する。次の表５に無限遠合焦状態、中間距離合焦状態、近距離合焦状態における各群間隔を示す。
【００６１】
（表５）
レンズ状態    無限遠  中間距離    近距離
ｄ１４       0.80      1.05      3.21
ｄ１７      10.20     10.42     11.74
Ｂｆ        15.10     15.32     16.64
【００６２】
次の表６に、この第２実施例における各条件式対応値を示す。
【００６３】
（表６）
ｙＧ１＝‐0.48
ｙＧ２＝‐0.22
ν１＝55.52
ν２＝67.90
ｎ２１＝1.8830
ｎ２２＝1.8052
（１）ｙＧ２／ｙＧ１＝0.47
（２）（ν１＋ν２）／２＝6１.71
（３）（ｎ２１＋ｎ２２）／２＝1.84409
（４）ｒ１／ｆ＝‐0.43
【００６４】
このように、この第２実施例に係る撮影レンズＳＬ２は、上記条件式（１）〜（４）を全て満足している。
【００６５】
この第２実施例に係る撮影レンズＳＬ２の無限遠合焦状態における諸収差図を図４（ａ）に示し、中間撮影距離状態（撮影距離−０．０１）における諸収差図を図４（ｂ）に示す。この第２実施例において、各収差図から明らかなように、各合焦状態において諸収差が良好に補正されており、高い光学性能を有していることは明らかである。
【００６６】
［第３実施例］
図５は、第３実施例に係る撮影レンズＳＬ３の構成を示す図である。この図５に示す撮影レンズＳＬ３において、第１レンズ群Ｇ１は、物体側から順に、物体側に凸面を向けた正メニスカスレンズ（第１レンズ）Ｌ１１、物体側に凸面を向けた正メニスカスレンズ（第２レンズ）Ｌ１２、物体側に凸面を向けた正メニスカスレンズ（第３レンズ）Ｌ１３、物体側に凸面を向けた負メニスカスレンズＬ１４、物体側に凹面を向けた負メニスカスレンズＬ１５と物体側に凹面を向けた正メニスカスレンズＬ１６とを接合した接合レンズＣＬ１、及び、物体側に凹面を向けた正メニスカスレンズＬ１７から構成されている。また、第２レンズ群Ｇ２は、物体側から順に両凸レンズ（正レンズ）Ｌ２１と両凹レンズ（負レンズ）Ｌ２２とを接合した接合レンズＣＬ２から構成されている。また、開口絞りＳは、第１レンズ群Ｇ１の負メニスカスレンズＬ１４と負メニスカスレンズＬ１５との間に配置されている。なお、この撮影レンズＳＬ３と像面Ｉとの間には、ローパスフィルターや赤外カットフィルター等から構成されるフィルター群ＦＬが配置されている。像面Ｉは、撮像素子（例えば、フィルム、ＣＣＤ、ＣＭＯＳ等）に結像される。
【００６７】
以下の表７に第３実施例の諸元の値を掲げる。なお、表７に示す面番号１〜２３は図５に示す番号１〜２３に対応している。
【００６８】
（表７）
［全体諸元］
ｆ    ＝  32.0
ＦＮｏ＝   1.24
２ω  ＝  25.87
像高  ＝   8.10
ＴＬ  ＝  57.42
［レンズデータ］
面番号  曲率半径    面間隔       ｎｄ       νd
1      35.2535      4.80      1.6968      55.52
2     207.9092      0.10
3      30.5964      4.60      1.5932      67.90
4      62.5231      0.10
5      19.6000      4.70      1.8160      46.59
6      23.2000      1.00
7      50.5339      1.60      1.7552      27.57
8      11.9667      4.82
9       0.0000      4.80                          開口絞りＳ
10     -11.6552      1.40      1.6889      31.16
11    -297.7087      4.00      1.9027      35.73
12     -19.5086      0.10
13     -86.7505      3.40      1.7725      49.62
14     -24.9468     (d14)
15      28.9738      4.90      1.8830      40.66
16     -25.0000      1.60      1.7847      25.64
17      65.1950     (d17)
18       0.0000      0.50      1.5168      63.88
19       0.0000      1.11
20       0.0000      1.59      1.5168      63.88
21       0.0000      0.30
22       0.0000      0.70      1.5168      63.88
23       0.0000      0.70
［レンズ群焦点距離］
レンズ群    始面    焦点距離
第１レンズ群    1       55.36
第２レンズ群   15       42.77
【００６９】
この第３実施例において、第１レンズ群Ｇ１と第２レンズ群Ｇ２との軸上空気間隔ｄ１４、第２レンズ群Ｇ２とフィルター群ＦＬとの軸上空気間隔ｄ１７、及び、バックフォーカスＢｆは、合焦に際して変化する。次の表８に無限遠合焦状態、中間距離合焦状態、近距離合焦状態における各群間隔を示す。
【００７０】
（表８）
レンズ状態    無限遠  中間距離    近距離
ｄ１４       1.20      1.40      3.41
ｄ１７       9.40      9.65     11.07
Ｂｆ        14.30     14.55     15.97
【００７１】
次の表９に、この第３実施例における各条件式対応値を示す。
【００７２】
（表９）
ｙＧ１＝‐0.45
ｙＧ２＝‐0.25
ν１＝55.52
ν２＝67.90
ｎ２１＝1.8330
ｎ２２＝1.7847
（１）ｙＧ２／ｙＧ１＝0.56
（２）（ν１＋ν２）／２＝61.71
（３）（ｎ２１＋ｎ２２）／２＝1.83386
（４）ｒ１／ｆ＝‐0.36
【００７３】
このように、この第３実施例に係る撮影レンズＳＬ３は、上記条件式（１）〜（４）を全て満足している。
【００７４】
この第３実施例に係る撮影レンズＳＬ３の無限遠合焦状態における諸収差図を図６（ａ）に示し、中間撮影距離状態（撮影距離−０．０１）における諸収差図を図６（ｂ）に示す。この第３実施例において、各収差図から明らかなように、各合焦状態において諸収差が良好に補正されており、高い光学性能を有していることは明らかである。
【００７５】
［第４実施例］
図７は、第４実施例に係る撮影レンズＳＬ４の構成を示す図である。この図７に示す撮影レンズＳＬ４において、第１レンズ群Ｇ１は、物体側から順に、物体側に凸面を向けた正メニスカスレンズ（第１レンズ）Ｌ１１、物体側に凸面を向けた正メニスカスレンズ（第２レンズ）Ｌ１２、物体側に凸面を向けた正メニスカスレンズ（第３レンズ）Ｌ１３、物体側に凸面を向けた負メニスカスレンズＬ１４、物体側に凹面を向けた負メニスカスレンズＬ１５、物体側に凹面を向けた負メニスカスレンズＬ１６と物体側に凹面を向けた正メニスカスレンズＬ１７とを接合した接合レンズＣＬ１、及び、物体側に凹面を向けた正メニスカスレンズＬ１８から構成されている。また、第２レンズ群Ｇ２は、物体側から順に両凸レンズ（正レンズ）Ｌ２１と両凹レンズ（負レンズ）Ｌ２２とを接合した接合レンズＣＬ２から構成されている。また、開口絞りＳは、第１レンズ群Ｇ１の負メニスカスレンズＬ１４と負メニスカスレンズＬ１５との間に配置されている。なお、この撮影レンズＳＬ４と像面Ｉとの間には、ローパスフィルターや赤外カットフィルター等から構成されるフィルター群ＦＬが配置されている。像面Ｉは、撮像素子（例えば、フィルム、ＣＣＤ、ＣＭＯＳ等）に結像される。
【００７６】
以下の表１０に第４実施例の諸元の値を掲げる。なお、表１０に示す面番号１〜２５は図７に示す番号１〜２５に対応している。
【００７７】
（表１０）
［全体諸元］
ｆ    ＝  32.0
ＦＮｏ＝   1.24
２ω  ＝  25.87
像高  ＝   8.50
ＴＬ  ＝  63.30
［レンズデータ］
面番号  曲率半径    面間隔       ｎｄ       νd
1      60.8267      4.00      1.6700      57.35
2     277.1265      0.20
3      30.3043      4.20      1.5932      67.90
4      59.9054      0.10
5      17.2779      4.20      1.8160      46.59
6      23.1790      1.00
7      20.5316      1.40      1.7283      28.38
8      10.1672      6.50
9       0.0000      3.00                          開口絞りＳ
10      27.5450      1.50      1.7880      47.35
11      18.4146      5.00
12      -9.5880      1.40      1.6990      30.13
13    -333.6252      3.70      1.8830      40.80
14     -14.2548      0.10
15    -121.4866      3.20      1.7550      52.34
16     -27.8996     (d16)
17      34.7780      5.70      1.8830      40.66
18     -23.0692      1.40      1.7552      27.57
19     105.7386     (d19)
20       0.0000      0.50      1.5168      63.88
21       0.0000      1.11
22       0.0000      1.59      1.5168      63.88
23       0.0000      0.30
24       0.0000      0.70      1.5168      63.88
25       0.0000      0.70
［レンズ群焦点距離］
レンズ群    始面    焦点距離
第１レンズ群    1       58.14
第２レンズ群   17       41.52
【００７８】
この第４実施例において、第１レンズ群Ｇ１と第２レンズ群Ｇ２との軸上空気間隔ｄ１６及び第２レンズ群Ｇ２とフィルター群ＦＬとの軸上空気間隔ｄ１９、及び、バックフォーカスＢｆは、合焦に際して変化する。次の表１１に無限遠合焦状態、中間距離合焦状態、近距離合焦状態における各群間隔を示す。
【００７９】
（表１１）
レンズ状態    無限遠  中間距離    近距離
ｄ１６       1.28      1.64      3.59
ｄ１９      10.52     10.73     12.19
Ｂｆ        15.42     15.63     17.09
【００８０】
次の表１２に、この第４実施例における各条件式対応値を示す。
【００８１】
（表１２）
ｙＧ１＝‐0.57
ｙＧ２＝‐0.21
ν１＝57.35
ν２＝67.90
ｎ２１＝1.8830
ｎ２２＝1.7552
ｒ１＝‐9.5880
（１）ｙＧ２／ｙＧ１＝0.37
（２）（ν１＋ν２）／２＝62.625
（３）（ｎ２１＋ｎ２２）／２＝1.8191
（４）ｒ１／ｆ＝‐0.30
【００８２】
このように、この第４実施例に係る撮影レンズＳＬ４は、上記条件式（１）〜（４）を全て満足している。
【００８３】
この第４実施例に係る撮影レンズＳＬ４の無限遠合焦状態における諸収差図を図８（ａ）に示し、中間撮影距離状態（撮影距離−０．０１）における諸収差図を図８（ｂ）に示す。この第４実施例において、各収差図から明らかなように、各合焦状態において諸収差が良好に補正されており、高い光学性能を有していることは明らかである。
【符号の説明】
【００８４】
ＳＬ（ＳＬ１〜ＳＬ４）  撮影レンズ
Ｇ１  第１レンズ群    Ｌ１１  第１レンズ    Ｌ１２  第２レンズ
Ｇ２  第２レンズ群    Ｌ２１  正レンズ    Ｌ２２  両凹レンズ（負レンズ）
Ｓ  開口絞り    １  カメラ（光学機器）
【図１】
2014081429.tif 000003
【図２】
2014081429.tif 000004
【図３】
2014081429.tif 000005
【図４】
2014081429.tif 000006
【図５】
2014081429.tif 000007
【図６】
2014081429.tif 000008
【図７】
2014081429.tif 000009
【図８】
2014081429.tif 000010
【図９】
2014081429.tif 000011
【図１０】
2014081429.tif 000012